(57)【要約】【課題】  ガラスに剛性を付与するとともに、減衰特性を向上させた車両用のガラス支持構造を提供する。【解決手段】  ガラス１の例えば下辺部に、粘着層（図示せず）を用いて金属箔２０、２１を貼り合わせて形成した支持部材２を接着剤３により接着する。金属箔２０、２１によりガラス１に剛性が付与されるとともに、ガラス１の振動変形によりガラス１と金属箔２０および２２との間にずれ（剪断変形）が生じることにより、振動エネルギーを吸収して減衰させる。【選択図】  図２
2006306313.tif 000002
【特許請求の範囲】
【請求項１】
車両に取り付けられるガラスの少なくとも一辺に対して、接着剤を介して剛性を付与する支持部材を取り付けたことを特徴とするガラス支持構造。
【請求項２】
前記支持部材は、所定板厚の金属板であることを特徴とする請求項１記載のガラス支持構造。
【請求項３】
前記支持部材は、断面コの字形であり、前記ガラスの少なくとも一辺を挟持していることを特徴とする請求項１または２に記載のガラス支持構造。
【請求項４】
前記支持部材は、前記ガラスの少なくとも一辺からガラス面に垂直な方向へと突出する突出部を有していることを特徴とする請求項１または２に記載のガラス支持構造。
【請求項５】
前記支持部材は積層した金属箔により構成されていることを特徴とする請求項１〜４のいずれかに記載のガラス支持構造。
【請求項６】
前記支持部材の金属箔は、粘弾性層を介して積層されていることを特徴とする請求項５記載のガラス支持構造。
【請求項７】
前記ガラスは、ドアガラスであることを特徴とする請求項１〜６のいずれかに記載のガラス支持構造。
【請求項８】
前記支持部材は、前記ドアガラスの下辺部に配置されていることを特徴とする請求項７記載のガラス支持構造。
【発明の詳細な説明】
【技術分野】
【０００１】
本発明は、車両に取り付けられるフロントガラスやドアガラス、サンルーフ等のガラスの支持構造に関する。
【背景技術】
【０００２】
自動車、特に乗用車においては、車室内の静粛性が求められるようになっている。静粛性を向上させるためには、外部から車室内へと侵入する音を遮断する必要があるのはもちろん、走行時の車体の振動により、窓ガラスやその周辺が振動して発生する騒音を抑制する必要もある。このような窓ガラスやその周辺の振動を抑制する技術として特許文献１に開示されている技術が知られている。
【０００３】
この特許文献１には、昇降機構を備える車両用ドアガラス構造において、窓ガラスと昇降機構とを接続する部材とは独立に、窓ガラスの下辺部に制振部材を取り付けた構造を開示している。この制振部材は、Ｕ字型の剛性部材が粘弾性部材を介して窓ガラスの下辺部を挟持している構造を有していることを特徴としている。
【特許文献１】特開２００２−３２１５２６号公報
【発明の開示】
【発明が解決しようとする課題】
【０００４】
この制振部材は、窓ガラスの下辺部をゴムや合成樹脂等で挟持し、それをさらに金属製のＵ字型チャンネルで挟持した構成をとっている。しかしながら、ゴムや合成樹脂は変形しやすいため、ガラスに充分な剛性を付与することができない。このため、振動の抑制が充分とはいえない。
【０００５】
そこで本発明は、ガラスに剛性を付与するとともに、減衰特性を向上させた車両用のガラス支持構造を提供することを課題とする。
【課題を解決するための手段】
【０００６】
上記課題を解決するため、本発明にかかるガラス支持構造は、車両に取り付けられるガラスの少なくとも一辺に対して、接着剤を介して剛性を付与する支持部材を取り付けたことを特徴とする。
【０００７】
剛性を付与する支持部材を薄い接着剤層によってガラスの少なくとも一辺に取り付けることで、ガラスへの剛性付与効率が向上し、ガラス自体の変形が抑制され、振動発生自体を抑制することができる。
【０００８】
この支持部材は、所定板厚の金属板であるとよい。また、支持部材は、断面コの字形であり、ガラスの少なくとも一辺を挟持しているとよい。あるいは、支持部材は、ガラスの少なくとも一辺からガラス面に垂直な方向へと突出する突出部を有していてもよい。
【０００９】
この支持部材は積層した金属箔により構成されていることが好ましい。さらに、支持部材の金属箔は、粘弾性層を介して積層されているとよい。
【００１０】
金属箔を重ねることにより支持部材の剛性が確保されるとともに、金属箔同士のずれ変形により振動エネルギーを吸収する。特に、金属箔間に粘弾性層が存在すると粘弾性層の変形による振動エネルギーの吸収効果が得られる。
【００１１】
ガラスは、例えば、ドアガラスであり、支持部材は、ドアガラスの下辺部に配置されていてもよい。
【発明の効果】
【００１２】
本発明によれば、ドアガラス等の車両に用いられるガラスに、少なくとも一辺に取り付けた支持部材によって剛性と減衰を付与することができるので、振動エネルギーを吸収して、車室内への騒音の流入を抑制し、車室内の静謐性を向上させることができる。
【発明を実施するための最良の形態】
【００１３】
以下、添付図面を参照して本発明の好適な実施の形態について詳細に説明する。説明の理解を容易にするため、各図面において同一の構成要素に対しては可能な限り同一の参照番号を附し、重複する説明は省略する。
【００１４】
図１は、本発明にかかるガラス支持構造の第１の実施形態を示す図であり、図２は、図１のII−II線断面図である。ここでは、運転席横のドアガラスを例に説明する。
【００１５】
ガラス１の下辺部の昇降機構の取り付け部１ａ、１ｂの間に、支持部材２が配置される。支持部材２は、金属箔２０、２１を重ね合わせて接着したものであり、ガラス１とは接着剤３により接着されている。支持部材２の断面形状は、図２に示すようにコの字形上であり、ガラス１の下辺、つまり底辺部とこれに近い側壁部分に接着されている。
【００１６】
支持部材２は、下辺部に沿った長さが例えば２５ｃｍ程度であり、断面方向の長さが５０ｍｍ程度である。ドアガラス１の厚みは５ｍｍ程度であるため、ドアガラス１の底辺から２０ｍｍ〜３０ｍｍ程度上まで支持部材２が挟持していることになる。
【００１７】
支持部材２の金属箔２０、２１としては、厚さ０．１ｍｍ程度のアルミ箔や銅箔、ステンレス箔等が使用できる。ここでは、２枚重ねの場合を例示しているが、１０〜２０枚程度重ねると充分な剛性が得られる。図示は省略しているが、各層の金属箔２０、２１は、厚さ数μｍ程度の粘着テープによって接着されている。この粘着テープは、例えば、接着剤３と同様の素材を用いればよく、薄い両面テープ等を用いるとよい。接着剤、樹脂等の粘弾性部材によって各層を接着してもよい。また、金属箔の一面に粘着層を有するアルミテープやステンレステープを重ねてもよい。所望の剛性が得られるなら金属箔は多層でなくともよく、金属箔に代えて薄い金属板を用いてもよい。
【００１８】
本実施形態の支持部材２により、ガラス１に剛性が付与される。特に、曲げに対する剛性を付与するとともに、ガラス１の変形に伴い、ガラス１と金属箔２０間、および、金属箔２０と２１間にそれぞれずれ変形が生じ、それぞれの間に配置される接着剤３や粘弾性層に剪断応力が働き、ずれが生ずる。このずれがガラス１の振動エネルギーを吸収することにより、ガラス１の振動を吸収し、低周波から高周波まで幅広い周波数範囲において遮音性が向上し、車室内の静粛性が向上する。
【００１９】
支持部材２は、図２に示される形状に限られるものではない。図３は、第２の実施形態を示す断面図であり、この図は、図２と対応する断面部分を示している。本実施形態の支持部材２’は、断面Ｌ字型の支持部材２Ｌ、２Ｒと、平板上の支持部材２ｂとを接着層３０により組み合わせて、Π字断面形状に構成したものであり、Π字の平行線の間に接着剤３０を介してガラス１が配置されている。そして、ガラス１の両面のそれぞれに垂直な方向に支持部材２’の一部が突出する形となっている。
【００２０】
図では簡略化のため、各支持部材２Ｌ、２Ｒ、２ｂは、２枚の金属箔２２、２３を粘着層３１で貼り合わせた２層構成として示しているが、３層以上の多層としてもよい。この場合に、各支持部材２Ｌ、２Ｒ、２ｂの層数は必ずしも同一である必要はなく、それぞれ層数を異ならせてもよい。
【００２１】
この支持部材２’は、ガラス１の支持部材２’の延在方向の曲げ変形を抑制する効果をさらに高めている。このため、この方向に働く振動を抑制し、減衰させる効果を高めることができる。
【００２２】
ここでは、Ｌ字型の部材をガラス１の両面に略対称に配置したが、それぞれの突出部の長さを異ならせてもよい。また、Ｌ字型の大きさの異なる二つの部材を同方向に向けて配置することで、突出部をガラス１の片面側のみに設けてもよい。また、Π字断面を形成する方法も上記の形態に限られるものではなく、図２に示されるコの字形の部材の両面にＬ字型の部材を略対称に貼り付けることでも同様の形状の部材を成形できる。
【００２３】
以上の説明では、ドアガラスの場合を例にその下辺部に支持部材をとりつける構成を例に説明してきたが、ドアガラス以外のガラス、例えば、フロントガラスやリアガラスのほかサンルーフ等を構成するガラスに対しても本発明は好適に適用できる。また支持部材の取り付け位置は、ドアガラスの下辺部に相当する部分に限られるものではなく、側辺や上辺等に相当する部分のうち、開口される側の辺以外には配置することが可能であり、配置する場所も一辺に限られるものではない。
【図面の簡単な説明】
【００２４】
【図１】本発明にかかるガラス支持構造の第１の実施形態を示す図である。
【図２】図１のII−II線断面図である。
【図３】第２の実施形態において、図２に対応する部分の断面図である。
【符号の説明】
【００２５】
１…ドアガラス、１ａ…部、２…支持部材、３…接着剤、２０〜２２…金属箔、３０…接着層、３１…粘着層。
【図１】
2006306313.tif 000003
【図２】
2006306313.tif 000004
【図３】
2006306313.tif 000005